(57)【特許請求の範囲】
【請求項１】
支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、引掛部を設けると共に、一端部に、挿入孔から挿入可能で下に凸となった形状の挿入部を設け、挿入部には、伝達具の係合部に係合させて回動することによって伝達具を動かすことができる駆動部を設けて成り、駆動部が伝達具を介して抜止具を動かし、閉塞部が挿入孔の一部を閉塞することによって挿入部を抜け止めして吊掛具を支持する吊掛装置において、伝達具は、支持具に回動可能に取り付けられると共に、抜止具を共に回動するように設けて成り、抜止具は、略垂直状の立壁部の下部に略水平状の閉塞部を設けて略Ｌ字状に形成すると共に、立壁部の外側部下部に当接部を設けて成り、支持具の基体の内壁には、外方に凹んでいて、当接部が外側に後退して係合できるスペースである許容部と、許容部よりも小さく凹んでいて、抜止具が外側に開放する方向に力を受けた時に当接部が係合する押圧部を設けて成り、吊掛具が伝達具を介して抜止具を回動させると、当接部は許容部又は押圧部に到達し、抜止具は外側に動かされ得る状態になり、吊掛具を下ろすと下に凸となった形状の挿入部により閉塞部が外側方向に押されて抜止具は外側方向に動き、当接部は許容部又は押圧部に選択的に係合するように成し、当接部は、押圧部に到達して吊掛具が支持具に吊り下げられて抜止具が外側方向に動く力を受けると押圧部に係合して押圧部から押圧され、閉塞部が挿入孔の一部を閉塞して吊掛具を支持具に装着できると共に、当接部は、許容部に到達して吊掛具を下ろすと抜止具は外側方向に動いて許容部に係合し、閉塞部が挿入孔を開放して吊掛具を支持具から離脱できるように構成したことを特徴とする吊掛装置。
【発明の詳細な説明】
【技術分野】
【０００１】
本発明は、主に、室内の天井に取り付けて、物干具や観葉植物や絵画等を吊り下げて使用する吊掛装置に関するものである。
【背景技術】
【０００２】
従来より、前述のような吊掛装置として特開平６−１２１７２５号公報に記載された発明があるが、この第１の実施例においては、支持具１の基体２の下半体４に楕円形の案内溝４ｂを設け、伝達具６の一端面側には、挿入凹部６ａを挟んで両側に低くなった部分が形成され、そこに抜止具５・５が摺動可能に係合している。抜止具５は、下側に突出する突起５ｂを設けてあり、この突起５ｂは下半体４の案内溝４ｂに係合するようになっている。この抜止具５は、伝達具６と共に回動すると突起５ｂと案内溝４ｂの係合により直線的に摺動され、閉塞部５ａが下半体４の挿入孔４ａの一部を閉塞するようになっている（段落０００７及び段落０００９参照）。
【特許文献１】特開平６−１２１７２５号公報
【発明の開示】
【発明が解決しようとする課題】
【０００３】
上記の従来例においては、楕円形の案内溝４ｂが抜止具５の突起５ｂを挟んで案内することで、抜止具５は直線的に摺動されるようになっているので、案内溝を形成する壁が、抜止具の外側にも内側にも存在し、支持具はその内外方向（摺動方向）の大きさを小さくできないという問題がある。また、抜止具５は、安定して直線的に摺動されるためには、摺動方向に案内されるためのある程度の長さが必要であり、この点においても支持具は摺動方向の大きさを小さくできないものである。
【０００４】
本発明は、支持具の大きさを小型化して、天井に取り付けた場合に極力目立たないようにして美観を損なうことのないようにすることを課題とするものである。
【課題を解決するための手段】
【０００５】
上記課題を解決するために、支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、引掛部を設けると共に、一端部に、挿入孔から挿入可能で下に凸となった形状の挿入部を設け、挿入部には、伝達具の係合部に係合させて回動することによって伝達具を動かすことができる駆動部を設けて成り、駆動部が伝達具を介して抜止具を動かし、閉塞部が挿入孔の一部を閉塞することによって挿入部を抜け止めして吊掛具を支持する吊掛装置において、伝達具は、支持具に回動可能に取り付けられると共に、抜止具を共に回動するように設けて成り、抜止具は、略垂直状の立壁部の下部に略水平状の閉塞部を設けて略Ｌ字状に形成すると共に、立壁部の外側部下部に当接部を設けて成り、支持具の基体の内壁には、外方に凹んでいて、当接部が外側に後退して係合できるスペースである許容部と、許容部よりも小さく凹んでいて、抜止具が外側に開放する方向に力を受けた時に当接部が係合する押圧部を設けて成り、吊掛具が伝達具を介して抜止具を回動させると、当接部は許容部又は押圧部に到達し、抜止具は外側に動かされ得る状態になり、吊掛具を下ろすと下に凸となった形状の挿入部により閉塞部が外側方向に押されて抜止具は外側方向に動き、当接部は許容部又は押圧部に選択的に係合するように成し、当接部は、押圧部に到達して吊掛具が支持具に吊り下げられて抜止具が外側方向に動く力を受けると押圧部に係合して押圧部から押圧され、閉塞部が挿入孔の一部を閉塞して吊掛具を支持具に装着できると共に、当接部は、許容部に到達して吊掛具を下ろすと抜止具は外側方向に動いて許容部に係合し、閉塞部が挿入孔を開放して吊掛具を支持具から離脱できるように構成して成るものである。
【発明の効果】
【０００６】
以上のように本発明によれば、抜止具を動かすのが、支持具に設けた内外の壁で形成する溝ではなく、外側の壁だけであり、抜止具の内側に、動かすための構造を設ける必要がないので、支持具を小型化することができるという効果がある。また、抜止具は、略Ｌ字状で略垂直状の立壁部を設けてあり、この立壁部も抜止具を案内することができるので、動く方向に長くしなくても安定して動かすことができ、支持具の一層の小型化を図ることができるという効果がある。
【実施例１】
【０００７】
支持具１は、上方に開口する有底円筒状の円筒部２５の上周縁に円形の鍔部２６を設け、鍔付き帽子を上下逆にしたような形状の基体２の中に、抜止具３、伝達具４及び振り分けばね５を内蔵し、裏面に蓋体６を被せ、表面にカバー７を被せて成るものである。
【０００８】
基体２の円筒部２５には、底板の中央に、円形の貫通孔の挿入孔２９を設け、円筒板の内周に、外方に略台形状に凹んでいる許容部９・９と、同じく略台形状に、許容部９・９よりも小さく凹んでいる凹部の押圧部１０・１０を、中心からの角度を約５０度ずらしてそれぞれ相対向するように設けてある。
【０００９】
さらに、円筒部２５の内周には、外方に略Ｕ字状により大きく凹んでいる収容部１１・１１を相対向するように設けてある。また、鍔部２６には、２箇所に取付孔２７・２７を設け、基体２には、取付孔２７・２７に挿通する取付ねじを隠して美観を向上させるために、カバー７を被せるようになっている。
【００１０】
抜止具３は、円弧状板を略垂直状に設けた立壁部１６の下端に、先端が円弧状になっている閉塞部１７を略水平状に突設して、全体を略Ｌ字状に形成し、立壁部１６の外側部下部に略台形状に突出する当接部１８を設けて成る。この抜止具３・３は、２つを一組として基体２の円筒部２５の中に回動可能に収納され、それぞれの当接部１８・１８は、基体２の円筒部２５の許容部９・９又は押圧部１０・１０に係合する。
【００１１】
伝達具４は、下方に開口する有底円筒状の中を挿入凹部１２とし、その底板の中央に、六角形に突出する係合部１３を設けてある。伝達具４の外周には、抜止具３・３の立壁部１６・１６がそれぞれ遊嵌する円弧状に凹んでいる挟持部２８・２８を１８０度離れた位置に設け、またその間には、後述する振り分けばね５のローラー１９・１９が安定して収まる対となった谷部１４・１４と、そこから約５０度離れた位置に同じく対となった谷部１５・１５を設けてある。
【００１２】
挟持部２８・２８の奥の面は、下方が内側に傾斜しており、この挟持部２８・２８には、一対の抜止具３・３が遊嵌しており、伝達具４を回動すると共に回動するようになっている。
【００１３】
振り分けばね５は、先端が接近する方向に付勢された円弧状のばねで、先端にはローラー１９・１９が取り付けられ、ローラー１９・１９は基体２に設けた収容部１１・１１に収容され、伝達具４を回動した時、ローラー１９・１９が谷部１４・１４又は谷部１５・１５を挟むようにして係合し、山状の中間点を境にして、伝達具４を振り分けるものである。
【００１４】
吊掛具８は、シャフト２０の一端にばね２１を介して、下に凸となった略半球形状の挿入部２２を設け、他端にリング状の引掛部２４を設けてある。このばね２１は、吊掛具８を曲げようとする力がかかった場合に、曲がって緩衝するためのものである。挿入部２２の上端の平らな部分には、六角形の孔の駆動部２３を凹設してある。この駆動部２３は、伝達具４の係合部１３と係合する。また、シャフト２０は、パイプに棒部材を挿入してあり、伸縮できるようになっている。なお、引掛部２４は端部ではなく、シャフト２０の中間に設けてもよい。
【００１５】
支持具１を組み立てるには、抜止具３・３を伝達具４の挟持部２８・２８に閉塞部１７・１７が相対向するように遊嵌し、これを基体２に、抜止具３・３の当接部１８・１８が基体２の許容部９・９に係合するように装入し、その後振り分けばね５が基体２の収容部１１・１１に位置するようにローラー１９・１９を装入し、蓋体６を被着し、天井等に取付ねじで取り付け、最後にカバー７を被着する。この時、ローラー１９・１９は、伝達具４の谷部１４・１４に係合させる。
【００１６】
抜止具３・３の当接部１８・１８が支持具１の基体２の許容部９・９に係合し、抜止具３・３が開放している状態から、吊掛具８の挿入部２２を基体２の挿入孔２９から伝達具４の挿入凹部１２に挿入し、駆動部２３を伝達具４の係合部１３に係合し右に約５０度回動させる。すると、伝達具４の挟持部２８・２８が抜止具３・３を共に回動させ、当接部１８・１８が基体２の押圧部１０・１０に到達し、その後吊掛具８を下ろすと、下に凸となった略半球形状の挿入部２２の形状により、閉塞部１７・１７は水平外側方向に押され、抜止具３・３は外側に動き、当接部１８・１８は、押圧部１０・１０に係合して押圧部１０・１０から内側に向かって押圧される。
【００１７】
当接部１８・１８は抜止具３・３の下部に設けられていると共に、挟持部２８・２８の奥の面は、下方が内側に傾斜しているので、抜止具３・３は、その下部だけが内側（中央）に向かって揺動することになり、その閉塞部１７・１７が挿入孔２９の一部を閉塞する。閉塞された挿入孔２９は挿入部２２の直径よりも小さくなり、駆動部２３を係合部１３から外して、吊掛具８を下ろすと、当接部１８・１８は、係合している押圧部１０・１０から内側に向かって押圧される力を受けるので、挿入部２２が閉塞部１７・１７に抜け止めされ、吊掛具８は支持具１に支持される（図１、図２及び図５の状態）。
【００１８】
この状態では、吊掛具８は、３６０度どの方向にもある程度の角度揺動することができると共に、それ以上の角度揺動してもばね２１が曲がって緩衝するようになっており、吊掛具８に揺動する方向に力がかかった場合でも、支持具１や吊掛具８が容易に壊れないようになっている。そして、吊掛具８が支持具１に支持された状態で引掛部２４に物干具や観葉植物や絵画等を吊り下げて使用したり、間隔を離して２つ取り付けて引掛部２４・２４に物干竿を掛け渡して使用するものである。
【００１９】
不使用時は、引掛部２４を持って吊掛具８を持ち上げ、挿入部２２の駆動部２３を伝達具４の係合部１３に係合させ、左に約５０度回動させると、伝達具４の挟持部２８・２８が抜止具３・３を共に回動させ、当接部１８・１８は、基体２の許容部９・９に到達し、外側に後退が可能な状態となる（この状態では抜止具３・３は動かない。）。その状態から、駆動部２３を係合部１３から外して、吊掛具８を下ろすと、下に凸となった略半球形状の挿入部２２の形状により、閉塞部１７・１７は挿入部２２によって水平外側方向に押され、抜止具３・３は外側に向かって揺動して当接部１８・１８は、基体２の許容部９・９に係合し、閉塞部１７・１７が押し広げられ、挿入孔２９から後退し、挿入孔２９の全体が開口し、吊掛具８の挿入部２２を抜き外すことができる（図３、図４及び図６の状態）。
【００２０】
吊掛具８に吊り下げられている洗濯物等の重さ等で、抜止具３・３が開放する方向に力を受けても、抜止具３・３の当接部１８・１８が基体２の押圧部１０・１０に当接しているので、吊掛具８は抜け落ちることはない。
【００２１】
また使用時に、吊り下げられている吊掛具８に洗濯物等が吊り下げられている状態で、風等で洗濯物等を回転する力が加わった時に、吊掛具８が回動することがあっても、洗濯物等の重さで吊掛具８の挿入部２２が下方に力がかかると、その形状から抜止具３・３は外方に押し広げられる力を受けることになり、凸部である当接部１８・１８が凹部である押圧部１０・１０に係合するので、抜止具３・３は回動することがなく開放せず、吊掛具８は落下することがない。
【図面の簡単な説明】
【００２２】
【図１】使用状態を示す縦断面図。
【図２】図１のＡ−Ａ線断面図（挿入孔の一部が閉塞している状態の横断面図。ただし吊掛具の挿入部は図示していない。）。
【図３】挿入孔の全体が開口し、吊掛具を支持具から抜き外した状態の縦断面図。
【図４】図３のＢ−Ｂ線断面図（挿入孔の全体が開口している状態の横断面図。ただし吊掛具の挿入部は図示していない。）。
【図５】蓋体を外した状態の支持具の平面図（挿入孔の一部が閉塞している状態）。
【図６】蓋体を外した状態の支持具の平面図（挿入孔の全体が開口している状態）。
【図７】支持具と吊掛具の要部の分解斜視図。
【図８】伝達具の上下を逆にした状態の斜視図。
【符号の説明】
【００２３】
１    支持具
２    基体
３    抜止具
４    伝達具
８    吊掛具
９    許容部
１０    押圧部
１３    係合部
１６    立壁部
１７    閉塞部
１８    当接部
２２    挿入部
２３    駆動部
２４    引掛部
２９    挿入孔
【図１】
0004425242.tif 000002
【図２】
0004425242.tif 000003
【図３】
0004425242.tif 000004
【図４】
0004425242.tif 000005
【図５】
0004425242.tif 000006
【図６】
0004425242.tif 000007
【図７】
0004425242.tif 000008
【図８】
0004425242.tif 000009